(57)【要約】本発明は、吸収および脱着特性を有する少なくとも１つの微孔性膜１と、少なくとも１つの多孔性浸透性被覆２と、少なくとも１つの不浸透性緩衝副層３とを本質的に含むことを特徴とする吸収および脱着装置に関する。本発明は、特に吸収材料の分野、衣料品または家庭用品に使用する際に特に適用可能である。
2004528086.tif 000002
【特許請求の範囲】
【請求項１】
吸収特性および脱着特性を有する少なくとも１つの微孔性膜（１）と、少なくとも１つの浸透性被覆（２）と、本質的に独立気泡（closed cells）性の少なくとも１つの不浸透性副層（３）とから本質的に構成されることを特徴とする吸収および脱着装置。
【請求項２】
吸収特性および脱着特性を有する前記微孔性膜（１）が、その２つの表面上ですべての流体に対し浸透性があることを特徴とする請求項１に記載の装置。
【請求項３】
吸収特性および脱着特性を有する前記微孔性膜（１）が、微孔性ポリオレフィン、またはケイ酸を加えた超高密度のポリエチレンタイプに基づくことを特徴とする請求項１から２のいずれか一項に記載の装置。
【請求項４】
吸収特性および脱着特性を有する前記微孔性膜（１）が、水分を排出するためのチャネルを形成する溝を備えることを特徴とする請求項１に記載の装置。
【請求項５】
前記浸透性多孔性被覆（２）が、織布若しくは不織布または合成繊維の被覆から構成され、優れた乾燥特性を有することを特徴とする請求項１に記載の装置。
【請求項６】
前記浸透性多孔性被覆（２）が、前記吸収膜（１）への液体の迅速な伝達を保証することができかつ吸水性の低い布または不織布の被覆から構成されることを特徴とする請求項１に記載の装置。
【請求項７】
前記不浸透性副層（３）に、十分な大きさと数の孔が開けられており、その孔が蒸発による下からの水分排出を可能とすることを特徴とする請求項１に記載の装置。
【請求項８】
微孔性の前記不浸透性副層（３）が、エチレン／ビニルアセテート共重合体の穿孔された気泡質物質から構成されることを特徴とする請求項１に記載の装置。
【請求項９】
前記構成要素が、縫合または接着によって、機能的サンドイッチに組み立てられることを特徴とする請求項１から８のいずれか一項に記載の装置。
【請求項１０】
前記縫合が、前記装置の全周辺部に渡って行われ、周辺の縫目の間に対角および／または横方向の線および／または長手方向の線に沿って追加の縫線が設けられることを特徴とする請求項９に記載の装置。
【請求項１１】
前記接着が、点接着によって、またはメッシュ構造を有し、前記微孔性膜（１）の両面でそれぞれ前記多孔性被覆（２）と前記微孔性膜（１）との間およびこの膜（１）と前記不浸透性緩衝副層（３）との間に挿入される熱接着製品（４）による熱接着によって行われることを特徴とする請求項７に記載の装置。
【請求項１２】
前記熱接着製品が、前記微孔性膜（１）の全表面の非常に小さい部分、好ましくはこの表面の約１２％を占めるようなメッシュを有することを特徴とする請求項１１に記載の装置。
【請求項１３】
靴の中に挿入される中敷の形、または靴の中に恒常的に組み込まれた靴底の形として存在し、靴の第１アセンブリまたは靴の衛生的な中敷を構成することを特徴とする請求項１に記載の装置。
【請求項１４】
被覆、噴霧などによって、抗菌性および／または殺菌性の１つまたは複数の層が設けられることを特徴とする請求項１に記載の装置。
【発明の詳細な説明】
【技術分野】
【０００１】
本発明は、吸収材料の分野、詳細には衣料品または家庭用品として使用される吸収材料の分野に関し、吸収および脱着装置をその目的とする。
【背景技術】
【０００２】
水分、具体的には家庭分野での水の排泄物または放出物の吸収は、永遠の問題である。すなわち、この吸収は、一般に、特に吸収ティシュによって行われるが、前記吸収用製品を洗って乾かすためそれをしばしば交換する必要がある。
【０００３】
この問題は、多汗症と呼ばれる過剰な発汗の場合、特に足の発汗に関する場合、特に重要である。後者の場合、発汗が大幅に促進され、靴を履くことで更に悪化することになる。したがって、発汗と、時にはそのひどい影響と苦闘せざるを得ない人にとっては、靴を履く毎日の生活は多少困難となる。
【０００４】
スポーツをする人達は、しばしば不浸透性の靴を長時間履くので、広く発汗の影響を受ける。
【０００５】
これらの欠点を避けるため、特に軽量の材料、具体的には微小な衝撃（ｍｉｃｒｏｓｈｏｃｋｓ）を吸収するフォームを使用すること、および靴の構造自体中の空気の循環を使用することによる、靴の様々な改善が提案されてきた。しかし、これらの様々な改善は、大量発汗を抑えることも、靴の内部自体、主に衛生的な靴の底（ｓｈｏｅ  ｓｏｌｅ）を改善することもできなかった。
【０００６】
また、いわゆる、「耐発汗性」の中敷を加えることが提案されたが、その中敷の効果は、多くの場合非常に限られたものである。
【０００７】
大量発汗あるいは多汗症の問題はまた、ゲル、スプレー、パウダーや特定の製剤など皮膚に直接塗布する製品を使用することで、あるいは抗真菌症および抗菌製品を直接靴の中に噴霧することで対処されてきた。しかし、これらすべての処置の効果は低いものにすぎなかった。
【０００８】
水分を吸収する十分な容量をもち、臭いを抑える、活性炭を含む銅または合成繊維製の中敷を製造することも提案された。しかし、飽和状態に達すると、靴の中に水分が閉じ込められたままとなり、バクテリアの繁殖に適した浸漬が起こり、臭いが溜まり続ける。
【０００９】
特にバスルームで例えばバスマットなどにより水のこぼれを急いで吸収することが頻繁に必要になる家庭分野での水分の吸収の問題も、大変重大である。そのような場合、吸収手段は全くすぐに飽和し、大量に吸収した後で特に乾かさずに、これらの手段を長期間使用することはできない。したがって、このマットを水分で飽和したままにしておくと、必然的に速やかに乾燥することができなくなり、健康に有害な望ましくない微生物が同時に繁殖してマットが劣化することになる。
【発明の開示】
【発明が解決しようとする課題】
【００１０】
本発明は、一方では、すべての水分、具体的には過剰な発汗または水のこぼれを迅速かつ効率的に吸収することを可能とし、他方では、糸状菌や望ましくないバクテリアの生成を回避し、溜まった水分を迅速に脱着することを可能とする吸収および脱着装置を提供することにより、この欠点を克服することを目的とする。
【課題を解決するための手段】
【００１１】
この目的のため、本発明による吸収および脱着装置は、吸収および脱着特性を有する少なくとも１つの微孔性膜と、少なくとも１つの多孔性浸透性被覆と、本質的に独立気泡（closed cells）性の少なくとも１つの不浸透性緩衝副層とから本質的に構成されることを特徴とする。
【００１２】
本発明を非限定的な例として示すが、添付の概略図面を参照して説明する好ましい実施形態に関する以下の記載から、よりよく理解されよう。
【発明を実施するための最良の形態】
【００１３】
添付の図面の図１および２は、吸収および脱着特性を有する少なくとも１つの微孔性膜１と、少なくとも１つの多孔性浸透性被覆２と、本質的に独立気泡性の少なくとも１つの不浸透性緩衝層とから本質的に構成される吸収および脱着装置を示している。
【００１４】
吸収および脱着特性１を有する微孔性膜は、その２つの表面上ですべての流体に対して浸透性がある。そのような膜１は、好ましくは、欧州特許第０８９２  ６４７号明細書で開示されているような、ケイ酸を加えた超高密度のポリエチレンタイプの微孔性ポリオレフィンベースのものである。
【００１５】
空隙率が６０％を超えるこの部材は、非常に高い吸収能力をもち、非常に迅速に脱着して、製品の初期の特徴に２時間未満で戻ることができる。さらに、この膜１を構成する材料は、衝撃に対し高い吸収容量を有し、それによって微小な衝撃効果を回避し、歩行およびスポーツ中の快適さを促進する。さらに、非常に簡単に切り取ることができ集中的に使用した後でも変形しないこの膜は、非常に使いやすく、水および石鹸で洗うのに適しており、湿った媒体中より乾いた媒体中の方が繁殖することが一層困難な、糸状菌およびバクテリアの感染の防御に大変効果的である。
【００１６】
本発明の特徴によれば、吸収および脱着特性１を有する微孔性膜は、水分を排出するためのチャネルを形成する溝を備えることができる。
【００１７】
この装置を靴の中敷として使用する場合、多孔性浸透性被覆２は、織布、不織布または合成繊維の織物被覆から構成することができ、この被覆は微細穿孔を備え、あるいは非常に多孔性で、優れた乾燥特性を有する（図１）。このような多孔性被覆２は、本質的に装置の上部と無理なく接触できるように構成され、水または空気を容易に透過させなければならない。液体を膜１に向かって容易かつ迅速に通過させ、この多孔性被覆２の下に配置された膜１に液体を迅速に吸着させるようにするためである。
【００１８】
例えば、この装置をバスマットとして使用する場合、多孔性浸透性被覆２を、好ましくは多孔性が高く、吸水性の低い織布または不織布の布被覆から構成することができる。したがって、そのような場合、水分が本質的に微孔性膜１中に迅速に浸透し、脱着の際には水分は被覆２に保持されずに迅速に蒸発でき、被覆２は明らかに迅速に乾燥するように構成されていることが必要である。
【００１９】
不浸透性緩衝副層３には、十分な大きさと数の孔が開けられて、その孔が、蒸発による下からの水分排出を可能とすることが好ましい。本発明の修正実施形態によれば、微孔性膜１が水分を排出するためのチャネルを形成する溝を備える場合、上記の不浸透性緩衝副層３は孔を備えなくてもよい。
【００２０】
不浸透性緩衝副層３は、微細穿孔され、小さな厚さの、すなわち靴の中敷の場合は２ｍｍ程度厚さのエチレン／酢酸ビニル共重合体の気泡質物質から構成することができる。そのような気泡質物質は、装置に圧力がかかるとき、例えば歩行中の微小な衝撃の吸収と、前記装置に負荷がかからなくなったときに脱着を促進するための、微孔性膜１による、特に装置の下部表面からの空気交換とを同時に保証することができる。
【００２１】
不浸透性緩衝副層３を構成するフォームは、引裂きおよび磨耗に対する優れた機械的引張り特性、ならびに優れた動的弾性特性および曲げ抵抗をもつ。さらに、このようなフォームは、空気、光、オゾンおよび熱による経時変化の影響を受けにくく、寒さおよび火の作用にも強い抵抗力をもつ。さらに、このフォームは、油、溶媒、ケトン、酸などの液体、気体および水に対しても十分な強度をもつ。
【００２２】
本発明による吸収および脱着装置を構成する要素は、縫合または接着によって、機能的サンドイッチに組み立てることができる。
【００２３】
縫合の場合、縫合は、この装置の全周辺部にわたって行い、周辺の縫目の間に対角および／または横方向の線および／または長手方向の線に沿って追加の縫線を設ける。このような追加の縫線は、装置に圧力がかかるとき、例えば歩行中に問題を起こす折り目が表れ、それによって多孔性浸透性被覆２がすぐに磨耗するのを避けるために必要である。
【００２４】
接着によって組み立てる場合、これは、好ましくは点接着によって、またはメッシュ構造をもち、微孔性膜１の両面で多孔性被覆２と微孔性膜１との間およびこの膜１と不浸透性副層３との間にそれぞれ挿入される熱接着製品４による熱接着によって行う（図１および２）。このような接着製品は、特に横方向の支持体上に付着された細片として市販されており、アセンブリはスプールに巻かれている。
【００２５】
熱接着製品は、微孔性膜１全表面の非常に小さい部分、好ましくは、この表面の約１２％を占めるようなメッシュを有し、したがって、一方では、微孔性膜１への浸透性多孔性被覆２を通る水分の透過能力、他方では、浸透性多孔性被覆２を通る膜１からの水分の蒸発能力を最適に維持する。この特徴はまた、膜１の下部表面と不浸透性緩衝副層３との間の空気循環の可能性を保証するために有用に使用される。
【００２６】
熱接着による組立てによって、本発明による装置の連続する要素１〜３の間の完全な結合を保証することができる。
【００２７】
本発明の特徴によれば、吸収および脱着装置は、靴の中に挿入される靴の中敷の形、または靴の中に恒常的に組み込まれた靴の靴底の形で存在し、靴の基本のアセンブリまたは靴の衛生的な中敷を構成することができる。
【００２８】
本発明の別の特徴によれば、吸収および脱着装置には、被覆、噴霧などによって抗菌性および／または殺菌性の１つまたは複数の層を設けることができる。このような追加の層を設けることにより、具体的には、足底に関しては、皮膚科学、糖尿病の分野で、またバスマットについては、ホテル、入浴療法、一般的に言って公共の場所で、バクテリアまたは糸状菌が拡がるのを防ぐための厳しい要求に対応することが可能となる。
【００２９】
本発明の装置は、水分を迅速に吸収する必要から生じる問題、特に多汗症から生じる問題に特に効果的に対応することができる。この装置は、非常に短時間で初期の特徴に戻ることができる迅速な脱着能力があるので、すばやくしかも効果的に再使用することができる。
【００３０】
さらに、その多孔性ゆえに、本発明の装置は、断熱および耐寒の機能を保証することができる。
【００３１】
最後に、この装置を履物製品の中敷として使用する場合、水分を吸い込みそれから空気中に放出するので、局所的な耐発汗処置とは違って、生理学的発汗に特に有用である。
【００３２】
臨床研究によれば、本発明による装置を靴の中敷の形で使用することによって、スポーツ靴を使用している間の発汗または多汗症に関連するあらゆる問題を実用的に満足できるように解決できることが判明している。
【００３３】
さらに、本発明による装置では、アレルギーの発生を助長する余地（ｔｅｒｒａｉｎ）はない。アレルギー成分が、その構造中には入り込まないからである。
【００３４】
最後に、この装置は、真菌症や湿疹などいくつかの栄養に関する問題の改善を可能とする。これらの問題を悪化させる要因は、この場合も恒常的な水分である。
【００３５】
本発明によって、迅速かつ効果的に大量の水分を吸収し、また、水分源がなくなったとき、迅速に前記水分を脱着することができる装置を提供することが可能となる。
【００３６】
この装置は、靴の底、すなわち、挿入される中敷または元来の底敷の形でより具体的に適用可能であるが、他の分野、特に家庭の分野でも、例えば、こぼれたものの迅速な吸収、およびそれに対応する脱着に適用可能であり、吸収手段の長期間の使用が可能であり、吸収手段の規則的な交換とそれに伴う洗濯および乾燥のコストが不要になる。
【００３７】
もちろん、本発明は、ここに記載し、添付の図面で示す実施形態に限定されるものではない。したがって本発明の保護の範囲を逸脱することなく、特に様々な要素の構造に関して、または技術的等価物で置き換えることによって修正が可能である。
【図面の簡単な説明】
【００３８】
【図１】靴の中敷の形状の本発明による装置の分解透視図である。
【図２】バスマットの形の装置の図１に類似の図である。
【図１】
2004528086.tif 000003
【図２】
2004528086.tif 000004
【国際公開パンフレット】
2004528086.tif 000005
2004528086.tif 000006
2004528086.tif 000007
2004528086.tif 000008
2004528086.tif 000009
2004528086.tif 000010
2004528086.tif 000011
2004528086.tif 000012
2004528086.tif 000013
2004528086.tif 000014
2004528086.tif 000015
2004528086.tif 000016
【手続補正書】
【提出日】平成15年5月27日(2003.5.27)
【手続補正１】
【補正対象書類名】特許請求の範囲
【補正対象項目名】全文
【補正方法】変更
【補正の内容】
【特許請求の範囲】
【請求項１】
吸収特性および脱着特性を有する少なくとも１つの微孔性膜（１）と、前記微孔性膜を被う少なくとも１つの多孔性浸透性被覆（２）と、前記微孔性膜（１）の下に配置され、本質的に独立気泡（closed cells）性の少なくとも１つの不浸透性緩衝副層（３）とから本質的に構成され、これらの異なる構成要素が、縫合または接着によって、機能的サンドイッチに組み立てられることを特徴とする吸収および脱着装置。
【請求項２】
吸収特性および脱着特性を有する前記微孔性膜（１）が、その２つの表面上ですべての流体に対し浸透性があることを特徴とする請求項１に記載の装置。
【請求項３】
吸収特性および脱着特性を有する前記微孔性膜（１）が、微孔性ポリオレフィン、またはケイ酸を加えた超高密度のポリエチレンタイプに基づくことを特徴とする請求項１から２のいずれか一項に記載の装置。
【請求項４】
吸収特性および脱着特性を有する前記微孔性膜（１）が、水分を排出するためのチャネルを形成する溝を備えることを特徴とする請求項１に記載の装置。
【請求項５】
前記浸透性多孔性被覆（２）が、織布若しくは不織布または合成繊維の被覆から構成され、優れた乾燥特性を有することを特徴とする請求項１に記載の装置。
【請求項６】
前記浸透性多孔性被覆（２）が、前記吸収膜（１）への液体の迅速な伝達を保証することができかつ吸水性の低い布または不織布の被覆から構成されることを特徴とする請求項１に記載の装置。
【請求項７】
前記不浸透性副層（３）に、十分な大きさと数の孔が開けられており、その孔が蒸発による下からの水分の排出を可能とすることを特徴とする請求項１に記載の装置。
【請求項８】
微孔性の前記不浸透性副層（３）が、エチレン／ビニルアセテート共重合体の穿孔されたフォームから構成されることを特徴とする請求項１に記載の装置。
【請求項９】
前記縫合が、前記装置の全周辺部に渡って行われ、周辺の縫目の間で対角および／または横方向の線および／または長手方向の線に沿って追加の縫線が設けられることを特徴とする請求項１に記載の装置。
【請求項１０】
前記接着が、点接着によって、またはメッシュ構造を有し、前記微孔性膜（１）の両面でそれぞれ前記多孔性被覆（２）と前記微孔性膜（１）との間およびこの膜（１）と前記不浸透性緩衝副層（３）との間に挿入される熱接着製品（４）による熱接着によって行われることを特徴とする請求項７に記載の装置。
【請求項１１】
前記熱接着製品が、前記微孔性膜（１）の全表面の非常に小さい部分、好ましくはこの表面の約１２％を占めるようなメッシュを有することを特徴とする請求項１０に記載の装置。
【請求項１２】
靴の中に挿入される中敷の形、または靴の中に恒常的に組み込まれた靴底の形として存在し、靴の第１アセンブリまたは靴の衛生的な中敷を構成することを特徴とする請求項１に記載の装置。
【請求項１３】
被覆、噴霧などによって抗菌性および／または殺菌性の１つまたは複数の層が設けられることを特徴とする請求項１に記載の装置。
【国際調査報告】
2004528086.tif 000017
2004528086.tif 000018
2004528086.tif 000019
2004528086.tif 000020
2004528086.tif 000021
2004528086.tif 000022